(57)【要約】【課題】  靴紐を締める又は靴紐を引張るときに指が割れることを防止することができ、飾り物が多数の顔色にすることができる。【解決手段】  樹脂ブッシュが予めに嵌められた靴紐ヘッドに、一端が丸形を呈し側辺に縫い目がない飾り物を嵌めて構成された靴紐ヘッド用飾り物の構造において、前記飾り物を靴紐ヘッドに嵌めた後、プレス金型により前記飾り物が靴紐ヘッドを束ね、且つ前記飾り物の靴紐ヘッドと嵌める開口周縁は円弧状に研磨されたので、靴紐を締める又は靴紐を引張るときに指が割れることを防止することができ、また、前記飾り物はアルミ合金で作製されたものであり、アルミ合金の製品は軽くてメッキ着色し易いので、前記飾り物を多数の顔色にすることができることを特徴とする靴紐ヘッド用飾り物の構造。【選択図】図３
0003108209.tif 000002
【実用新案登録請求の範囲】
【請求項１】
樹脂ブッシュが予めに嵌められた靴紐ヘッドに、一端が丸形を呈し側辺に縫い目がない飾り物を嵌めて構成された靴紐ヘッド用飾り物の構造において、
前記飾り物を靴紐ヘッドに嵌めた後、プレス金型により前記飾り物が靴紐ヘッドを束ね、且つ前記飾り物の靴紐ヘッドと嵌める開口周縁は円弧状に研磨されたので、靴紐を締める又は靴紐を引張るときに指が割れることを防止することができ、また、前記飾り物はアルミ合金で作製されたものであり、アルミ合金の製品は軽くてメッキ着色し易いので、前記飾り物を多数の顔色にすることができることを特徴とする、
靴紐ヘッド用飾り物の構造。
【請求項２】
前記飾り物の靴紐ヘッドと嵌める開口周縁は鋸状を呈し、且つプレス金型により前記開口周縁をプレスするときに、前記鋸状開口周縁が靴紐ヘッドへ押されることにより、前記鋸状開口周縁が靴紐ヘッドを噛み合うことを特徴とする、請求項１に記載の靴紐ヘッド用飾り物の構造。
【請求項３】
樹脂ブッシュが予めに嵌められた靴紐ヘッドに、一端が丸形を呈し側辺に縫い目がない飾り物を嵌めて構成された靴紐ヘッド用飾り物の構造において、
前記飾り物の開口付近の箇所では、内側へ下がられ開口付近から奥部へ傾斜する逆行止め片が設けてあることにより、前記飾り物を靴紐ヘッドに合わせて嵌めて前記逆行止め片が靴紐ヘッドを噛み合った後に、前記飾り物が靴紐ヘッドから離脱することができなくなり、また、前記逆行止め片は、飾り物で横方向または縦方向に排列してもいいし、複数列または複数行に排列してもよく、これにより、前記飾り物の靴紐ヘッドへの噛み合い状態がもっと良くなることを特徴とする、
靴紐ヘッド用飾り物の構造。
【請求項４】
樹脂ブッシュが予めに嵌められた靴紐ヘッドに、一端が丸形を呈し側辺に縫い目がない飾り物を嵌めて構成された靴紐ヘッド用飾り物の構造において、
前記靴紐ヘッドには予めに一つの定位螺旋が設けてあり、前記定位螺旋は頂部の直径が底部の直径よりも小さく、且つ前記飾り物の靴紐ヘッドと結合する開口周縁では止め周縁が設けてあり、靴紐ヘッドの定位螺旋に前記飾り物を徐々に締めて定位螺旋の底部が前記止め周縁に当たると、前記飾り物が靴紐ヘッドに固定されることを特徴とする、
靴紐ヘッド用飾り物の構造。
【考案の詳細な説明】
【技術分野】
【０００１】
本考案は靴紐ヘッド用飾り物の構造に係り、特に、靴紐を締める又は靴紐を引張るときに指が割れることを防止することができ、飾り物が多数の顔色にすることができる靴紐ヘッド用飾り物の構造に関するものである。
【背景技術】
【０００２】
図１と図２に示すのは従来の靴紐ヘッド用飾り物である。あれは、樹脂ブッシュが予めに嵌められた靴紐ヘッド１に、側辺に縫い目６１がある銅製品の飾り物６を嵌めて加圧して構成されたものである。
【考案の開示】
【考案が解決しようとする課題】
【０００３】
しかしながら、銅製品はより重くて、メッキ着色がやり難いので、製品の不良率が向上し、製造コストが無駄に増加した。また、使用者は靴紐を締める又は靴紐を引張るときに指が前記縫い目６１に割れられることがよくあった。
【課題を解決するための手段】
【０００４】
上記欠点を解決するためになされた本願の考案は、樹脂ブッシュが予めに嵌められた靴紐ヘッドに、一端が丸形を呈し側辺に縫い目がない飾り物を嵌めて構成された靴紐ヘッド用飾り物の構造において、前記飾り物を靴紐ヘッドに嵌めた後、プレス金型により前記飾り物が靴紐ヘッドを束ね、且つ前記飾り物の靴紐ヘッドと嵌める開口周縁は円弧状に研磨されたので、靴紐を締める又は靴紐を引張るときに指が割れることを防止することができ、また、前記飾り物はアルミ合金で作製されたものであり、アルミ合金の製品は軽くてメッキ着色し易いので、前記飾り物を多数の顔色にすることができることを特徴とする靴紐ヘッド用飾り物の構造であることを要旨としている。
【０００５】
本願の考案では、前記飾り物の靴紐ヘッドと嵌める開口周縁は鋸状を呈し、且つプレス金型により前記開口周縁をプレスするときに、前記鋸状開口周縁が靴紐ヘッドへ押されることにより、前記鋸状開口周縁が靴紐ヘッドを噛み合うことを特徴とする請求項１に記載の靴紐ヘッド用飾り物の構造であることを要旨としている。
【０００６】
本願の考案では、樹脂ブッシュが予めに嵌められた靴紐ヘッドに、一端が丸形を呈し側辺に縫い目がない飾り物を嵌めて構成された靴紐ヘッド用飾り物の構造において、前記飾り物の開口付近の箇所では、内側へ下がられ開口付近から奥部へ傾斜する逆行止め片が設けてあることにより、前記飾り物を靴紐ヘッドに合わせて嵌めて前記逆行止め片が靴紐ヘッドを噛み合った後に、前記飾り物が靴紐ヘッドから離脱することができなくなり、また、前記逆行止め片は、飾り物で横方向または縦方向に排列してもいいし、複数列または複数行に排列してもよく、これにより、前記飾り物の靴紐ヘッドへの噛み合い状態がもっと良くなることを特徴とする靴紐ヘッド用飾り物の構造であることを要旨としている。
【０００７】
本願の考案では、樹脂ブッシュが予めに嵌められた靴紐ヘッドに、一端が丸形を呈し側辺に縫い目がない飾り物を嵌めて構成された靴紐ヘッド用飾り物の構造において、前記靴紐ヘッドには予めに一つの定位螺旋が設けてあり、前記定位螺旋は頂部の直径が底部の直径よりも小さく、且つ前記飾り物の靴紐ヘッドと結合する開口周縁では止め周縁が設けてあり、靴紐ヘッドの定位螺旋に前記飾り物を徐々に締めて定位螺旋の底部が前記止め周縁に当たると、前記飾り物が靴紐ヘッドに固定されることを特徴とする靴紐ヘッド用飾り物の構造であることを要旨としている。
【考案の効果】
【０００８】
本考案に係る靴紐ヘッド用飾り物の構造によれば、靴紐を締める又は靴紐を引張るときに指が割れることを防止することができ、飾り物が多数の顔色にすることができる。
【考案を実施するための最良の形態】
【０００９】
以下、添付図面を参照して本考案の好適な実施の形態を詳細に説明する。
【００１０】
まず、図３と図４を参照する。本考案に係る靴紐ヘッド用飾り物の構造は、樹脂ブッシュが予めに嵌められた靴紐ヘッド１に、一端が丸形を呈し側辺に縫い目がない飾り物２を嵌めて構成された。前記飾り物２を靴紐ヘッド１に嵌めた後、プレス金型Ｍにより前記飾り物２が靴紐ヘッド１を束ね、且つ前記飾り物２の靴紐ヘッド１と嵌める開口周縁２１は円弧状に研磨され、且つ前記飾り物２には縫い目がないので、靴紐を締める又は靴紐を引張るときに指が割れることを防止することができ、また、前記飾り物２はアルミ合金で作製されたものであり、アルミ合金の製品は軽くてメッキ着色し易いので、前記飾り物２を多数の顔色にすることができる。
【００１１】
また、図５乃至図１１を参照する。図５乃至図１１に示すのは、本考案の実施例２乃至実施例５である。本考案に係る飾り物の実施例２は、図５と図６に示すように、飾り物２の靴紐ヘッド１と嵌める開口周縁３１は鋸状を呈し、且つプレス金型により前記開口周縁３１をプレスするときに、前記鋸状開口周縁３１が靴紐ヘッド１へ押されることにより、前記鋸状開口周縁３１が靴紐ヘッド１を噛み合う。
【００１２】
本考案に係る飾り物の実施例３と実施例４は、図７と図８と図９に示すように、飾り物４,４Ａの開口付近の箇所では、内側へ下がられ開口付近から奥部へ傾斜する逆行止め片４１が設けてあることにより、前記飾り物４を靴紐ヘッド１に合わせて嵌めて前記逆行止め片４１が靴紐ヘッド１を噛み合った後に、前記飾り物４が靴紐ヘッド１から離脱することができなくなり、また、前記逆行止め片４１は、飾り物４で横方向または縦方向に排列してもいいし、複数列または複数行に排列してもよく、これにより、前記飾り物４の靴紐ヘッド１への噛み合い状態がもっと良くなる。
【００１３】
本考案に係る飾り物の実施例５は、図１０と図１１に示すように、靴紐ヘッド１には予めに一つの定位螺旋１１が設けてあり、前記定位螺旋１１は頂部の直径が底部の直径よりも小さく、且つ飾り物５の靴紐ヘッド１と結合する開口周縁では止め周縁５１が設けてあり、靴紐ヘッド１の定位螺旋１１に前記飾り物５を徐々に締めて前記定位螺旋１１の底部が前記止め周縁５１に当たると、前記飾り物５が靴紐ヘッド１に固定される。
【図面の簡単な説明】
【００１４】
【図１】従来の靴紐ヘッド用飾り物の分解斜視図である。
【図２】従来の靴紐ヘッド用飾り物の組合状態を示す斜視図である。
【図３】本考案に係る靴紐ヘッド用飾り物の分解斜視図である。
【図４】本考案に係る靴紐ヘッド用飾り物の断面図である。
【図５】本考案に係る靴紐ヘッド用飾り物の実施例２の斜視図１である。
【図６】本考案に係る靴紐ヘッド用飾り物の実施例２の斜視図２である。
【図７】本考案に係る靴紐ヘッド用飾り物の実施例３の斜視図である。
【図８】本考案に係る靴紐ヘッド用飾り物の実施例４の斜視図１である。
【図９】本考案に係る靴紐ヘッド用飾り物の実施例４の斜視図２である。
【図１０】本考案に係る靴紐ヘッド用飾り物の実施例５の斜視図１である。
【図１１】本考案に係る靴紐ヘッド用飾り物の実施例５の斜視図２である。
【符号の説明】
【００１５】
１        靴紐ヘッド                  １１      定位螺旋
２        飾り物                      ２１      開口周縁
３        飾り物                      ３１      鋸状開口周縁
４        飾り物                      ４Ａ      飾り物
４１      逆行止め片                  ５        飾り物
５１      止め周縁                    ６        飾り物
６１      縫い目
【図１】
0003108209.tif 000003
【図２】
0003108209.tif 000004
【図３】
0003108209.tif 000005
【図４】
0003108209.tif 000006
【図５】
0003108209.tif 000007
【図６】
0003108209.tif 000008
【図７】
0003108209.tif 000009
【図８】
0003108209.tif 000010
【図９】
0003108209.tif 000011
【図１０】
0003108209.tif 000012
【図１１】
0003108209.tif 000013
【手続補正書】
【提出日】平成16年12月7日(2004.12.7)
【手続補正１】
【補正対象書類名】実用新案登録請求の範囲
【補正対象項目名】請求項１
【補正方法】変更
【補正の内容】
【請求項１】
樹脂ブッシュが予めに嵌められた靴紐ヘッドに、一端が丸形を呈し側辺に縫い目がない飾り物を嵌めて構成された靴紐ヘッド用飾り物の構造において、
前記飾り物を靴紐ヘッドに嵌めた後、プレス金型により前記飾り物が靴紐ヘッドを束ね、且つ前記飾り物の靴紐ヘッドと嵌める開口周縁は円弧状に研磨されたことを特徴とする、
靴紐ヘッド用飾り物の構造。
【手続補正２】
【補正対象書類名】実用新案登録請求の範囲
【補正対象項目名】請求項３
【補正方法】変更
【補正の内容】
【請求項３】
樹脂ブッシュが予めに嵌められた靴紐ヘッドに、一端が丸形を呈し側辺に縫い目がない飾り物を嵌めて構成された靴紐ヘッド用飾り物の構造において、
前記飾り物の開口付近の箇所では、内側へ下がられ開口付近から奥部へ傾斜する逆行止め片が設けてあり、前記逆行止め片は、飾りとして横方向および／または縦方向に、排列することを特徴とする、
靴紐ヘッド用飾り物の構造。